(57)【要約】【課題】  藤やぶどう等の蔓性植物を這わせたり絡ませたりして日陰を形成する為のパーゴラ（藤棚）に於て、設置及び撤去が容易に行える様にする。【解決手段】  平面方形を呈すべく配された縦横の梁材２と、隣接する梁材２同士を連結する継手３と、各継手３に設けられて梁材２に折重なる折畳み位置から直立位置まで折畳み可能な支柱４と、対角線上に位置する継手３間に着脱可能に張設される二つの第一索条５と、対向する梁材２間に着脱可能に張設されて格子状を呈する複数の第二索条６とで構成し、とりわけ支柱４を折畳み可能にすると共に、所謂棚体に索条５，６を用いる。【選択図】        図１
2005155276.tif 000002
【特許請求の範囲】
【請求項１】
平面方形を呈すべく配された縦横の梁材と、隣接する梁材同士を連結する継手と、各継手に設けられて梁材に折重なる折畳み位置から直立位置まで折畳み可能な支柱と、対角線上に位置する継手間に着脱可能に張設される二つの第一索条と、対向する梁材間に着脱可能に張設されて格子状を呈する複数の第二索条と、から構成した事を特徴とする折畳み式パーゴラ。
【請求項２】
継手は、縦梁材が嵌合される縦筒体と、横梁材が嵌合される横筒体と、支柱が嵌合される垂直筒体と、第一索条の端部を係止する係止部とを備え、垂直筒体と支柱との間には、支柱が嵌合される嵌合位置とこれから下方に引き抜かれて折畳み可能な引き抜き位置とをとり得る枢軸手段が設けられている請求項１に記載の折畳み式パーゴラ。
【請求項３】
各支柱の下部には、接地面に接地されて植物とこれを植栽する為の土壌とを収容する錘体が設けられている請求項１に記載の折畳み式パーゴラ。
【請求項４】
第一索条の一方と第二索条は、張力を調節する張力調節器を備えている請求項１に記載の折畳み式パーゴラ。
【発明の詳細な説明】
【技術分野】
【０００１】
本発明は、例えば藤やぶどう等の蔓性植物を這わせたり絡ませたりして日陰を形成する為のパーゴラ（藤棚）に係り、とりわけイベント会場等でも簡単に設置及び撤去ができる折畳み式パーゴラに関する。
【背景技術】
【０００２】
従来、パーゴラとしては、例えば特許文献１〜１１に記載されている如く、組立式が主流であり、種々の構造のものが知られていた。
【０００３】
【特許文献１】実開昭４７−２１４１２号公報
【特許文献２】実公昭５０−３１３９８号公報
【特許文献３】実開昭５２−４１７５１号公報
【特許文献４】実開昭５４−１４９５３号公報
【特許文献５】実公平４−１１４９６号公報
【特許文献６】実開昭６２−１５７３４０号公報
【特許文献７】実用新案登録第２５１４０４５号公報
【特許文献８】実開平６−６８４２６号公報
【特許文献９】実用新案登録第２５４０７５８号公報
【特許文献１０】特開２００１−９５３９４号公報
【特許文献１１】特開２００３−３５７５号公報
【発明の開示】
【発明が解決しようとする課題】
【０００４】
然しながら、何れのものも、恒久的に使用する事を前提として考えられていたので、容易に設置及び撤去する事ができなかった。
ところで、近年に於ては、各種イベントが行われて居り、その開催期間中だけパーゴラを設営する場合が多く、容易に設置及び撤去できるものが望まれていた。
【０００５】
本発明は、叙上の問題点に鑑み、これを解消する為に創案されたもので、その課題とする処は、設置及び撤去が容易に行える様にした折畳み式パーゴラを提供するにある。
【課題を解決するための手段】
【０００６】
本発明の折畳み式パーゴラは、基本的には、平面方形を呈すべく配された縦横の梁材と、隣接する梁材同士を連結する継手と、各継手に設けられて梁材に折重なる折畳み位置から直立位置まで折畳み可能な支柱と、対角線上に位置する継手間に着脱可能に張設される二つの第一索条と、対向する梁材間に張設されて格子状を呈する複数の第二索条と、から構成した事に特徴が存する。
【０００７】
各支柱を折畳み位置にすると、折畳み式パーゴラの全高が低くなる。各支柱を直立位置にすると、折畳み式パーゴラが立ち上がり、適宜の位置に据え置いて使用可能になる。
梁材と継手と第一索条と第二索条は、折畳み式パーゴラの棚体を為し、藤やぶどう等の蔓性植物が這わされて所謂日除けに供される。
支柱を折畳み可能にしたので、これの運搬や保管が容易になる。棚体に索条を用いたので、軽量化を図る事ができる。従って、折畳み式パーゴラの設置や撤去が容易に行える。
【０００８】
継手は、縦梁材が嵌合される縦筒体と、横梁材が嵌合される横筒体と、支柱が嵌合される垂直筒体と、索条の端部を係止する係止部とを備え、垂直筒体と支柱との間には、支柱が嵌合される嵌合位置とこれから下方に引き抜かれて折畳み可能な引き抜き位置とをとり得る枢軸手段が設けられているのが好ましい。この様にすれば、支柱の直立位置の時には、支柱が継手の垂直筒体に嵌合されるので、強度が増大する。
【０００９】
各支柱の下部には、接地面に接地されて植物とこれを植栽する為の土壌とを収容する錘体が設けられているのが好ましい。この様にすれば、別途、植木箱等を支柱の近傍に設置する必要がないと共に、支柱の移動を防止する錘として利用できる。
【００１０】
第一索条の一方と第二索条には、張力を調節する張力調節器が設けられているのが好ましい。この様にすれば、梁材と継手と第一索条と第二索条とから成る棚体の形状を適正に保持できる。
【発明の効果】
【００１１】
本発明に依れば、次の様な優れた効果を奏する事ができる。
（１）  平面方形を呈すべく配された縦横の梁材と、隣接する梁材同士を連結する継手と、各継手に設けられて梁材に折重なる折畳み位置から直立位置まで折畳み可能な支柱と、対角線上に位置する継手間に着脱可能に張設される二つの索条と、対向する梁材間に着脱可能に張設されて格子状を呈する複数の第二索条とで構成し、とりわけ支柱を折畳み可能にすると共に、棚体に索条を用いたので、設置及び撤去が容易に行える。
【発明を実施するための最良の形態】
【００１２】
以下、本発明の実施の形態を、図面に基づいて説明する。
図１は、本発明の折畳み式パーゴラを示す斜視図。図２は、図１の正面図。図３は、図１の平面図。図４は、折畳み状態を示す正面図。図５は、要部を拡大して示す正面図。図６は、要部を拡大して示す側面図。図７は、錘体を拡大して示す縦断面図。図８は、図７の平面図。図９は、第一索条を拡大して示す縦断面図。図１０は、第二索条を拡大して示す縦断面図である。
【００１３】
折畳み式パーゴラ１は、梁材２、継手３、支柱４、第一索条５、第二索条６とからその主要部が構成されている。支柱４を除く梁材２と継手３と第一索条５と第二索条６は、所謂棚体を為している。
【００１４】
梁材２は、平面方形を呈すべく配された縦横のもので、この例では、左右の縦梁材７と前後の横梁材８とを備えて居り、アルミ製の角パイプが用いられてこれらが平面長方形を呈すべく配されている。横梁材８は、支柱４の略二倍以上の長さを有している。
【００１５】
継手３は、隣接する梁材２同士を連結するもので、この例では、縦梁材７が嵌合される角筒状の縦筒体９と、横梁材８が嵌合される同じく角筒状の横筒体１０と、支柱４が嵌合される同じく角筒状の垂直筒体１１と、縦筒体９と横筒体１０との間に跨って設けられた水平リブ１２と、これと垂直筒体１１との間に跨って設けられた垂直リブ１３と、水平リブ１２の上に設けられて第一索条５の端部を係止する係止部（フック）１４と、縦筒体９と横筒体１０の外角部に設けられて補強用ロープ等（図示せず）が止結される穴付ブラケット１５とを備え、アルミダイキャストに依り作製されている。
縦筒体９と横筒体１０には、縦梁材７と横梁材８を固定する為の固定具（蝶ボルト）１６が設けられている。垂直筒体１１と支柱４との間には、支柱４が嵌合される嵌合位置とこれから下方に引き抜かれて折畳み可能な引き抜き位置とをとり得る枢軸手段１７が設けられていると共に、支柱４を垂直位置に固定する為の固定具（ボルトと蝶ナット）１８が設けられている。
【００１６】
枢軸手段１７は、継手３の垂直筒体１１に設けられた高さ方向に長い長穴１９と、支柱４に穿設された貫孔２０と、これらに挿通されて継手３の垂直筒体１１と支柱４とを枢結する枢結具（ボルトと袋ナット）２１と、継手３の垂直筒体１１に設けられて折畳み位置の支柱４との干渉を回避する切欠２２とを備え、継手３に対して支柱４を縦（前後方向）軸廻りに回動できる様にしてある。
【００１７】
支柱４は、各継手３に設けられて梁材２に折重なる折畳み位置から垂直位置まで折畳み可能なもので、この例では、梁材２と同様のアルミ製の角パイプが用いられて居り、横梁材８に折重なる折畳み位置から垂直位置まで折畳み可能にしてある。
支柱４の下部には、接地面に接地されて植物Ａとこれを植栽する為の土壌Ｂとを収容する錘体２３が設けられている。
【００１８】
錘体２３は、側壁２４と底壁２５を備えて上方が開放した平面が正方形の角箱状を呈して居り、底壁２５の上面中央に付設されて支柱４の下部が挿入される角筒２６と、これと支柱４を着脱可能に取り付ける為の固定具（ボルトと蝶ナット）２７と、対向する二つの側壁２４の上位内面に付設されて平面略Ｕ型を呈する一対の取っ手２８と、底壁２５の四隅に形成された水抜き穴２９と、底壁２５の下面に付設されて接地面から底壁２５を離間させる為の四つの足部３０とを備えている。
植物Ａは、藤やぶどう等の蔓性植物にしてあり、土壌Ｂは、これに適したものを取っ手２８が隠れる程度に錘体２３内に充填されている。
【００１９】
第一索条５は、対角線上に位置する継手３間に着脱可能に張設される二つのもので、この例では、一方の第一索条５は、ワイヤロープ３１だけで構成されていると共に、他方の第一索条５は、ワイヤロープ３１と、これの張力を調節する張力調節器（ターンバックル）３２とから構成されている。
ワイヤロープ３１の両端には、結束具３３に依り環状部３４が形成されている。
張力調節器３２は、ワイヤロープ３１の一方の環状部３４に連結される小リング３５と、継手３の係止部１４に係止される大リンク３６とを備えて居り、中央のナット部分３７を回動させる事に依り長さを調整できる様になっている。
而して、一方の第一索条５は、ワイヤロープ３１の両環状部３４が継手３の両係止部１４に夫々係止される。他方の第一索条５は、ワイヤロープ３１の一方の環状部３４と張力調節器３２の大リンク３６が継手３の両係止部１４に夫々係止される。
【００２０】
第二索条６は、対向する梁材２間に着脱可能に張設されて格子状を呈する複数のもので、この例では、両縦梁材７間には二つのものが、両横梁材８間には四つのものが夫々等間隔毎に設けられて居り、梁材２に取付けられるアイボルト３８と、ワイヤロープ３９と、これの張力を調節する張力調節器（ターンバックル）４０とから構成されている。
アイボルト３８は、二つ一対のもので、対向する縦梁材７及び横梁材８に形成された螺孔４１に着脱可能に螺合される。
ワイヤロープ３９の両端には、結束具４２に依り環状部４３が形成されて居り、一方の環状部４３には、一方のアイボルト３８が連結されている。
張力調節器４０は、ワイヤロープ３９の他方の環状部４３に連結される小リング４４と、他方のアイボルト３８に係止されるフック４５とを備えて居り、中央のナット部分４６を回動させる事に依り長さを調整できる様になっている。
【００２１】
次に、この様な構成に基づいてその作用を述解する。
図４の実線は、折畳み式パーゴラ１の折畳み状態を示している。この場合、支柱４から錘体２３が外され、左右の支柱４が横梁材８の下に折重なる様に折畳まれている。
折畳み状態では、図２に示す直立状態の時に比べて全高が極めて低くなって居り、運搬や保管が容易になる。
【００２２】
対角線上に位置する継手３間には、第一索条５が張設されていると共に、対向する縦梁材7間及び横梁材８間には、第二索条６が張設されている。
一方の第一索条５を張力調節器３２に依り緊張させると、四つの梁材２に依り形成される方形の一方の対角線間が短縮される。そうすると、前記方形が極端に言えば菱形に変形される事になり、他方の対角線間が伸長されてこの間にある他方の第一索条５が自動的に緊張される。従って、張力調節器３２は、一方の第一索条５のみに設けて置けば良い。勿論、両第一索条５の長さを予め設定して置き、張力調節器３２に依り緊張させた後の四つの梁材２に依り形成される形状が、適正な方形になる様にして置く方が望ましい。
各第二索条は、張力調節器４０に依り緊張されている。
而して、梁材２と継手３と第一索条５と第二索条６は、折畳み式パーゴラ１の棚体を為しているが、とりわけ、第一索条５と第二索条６を用いているので、棚体の軽量化を図る事ができる。
【００２３】
折畳み状態から、図４の鎖線で示す如く、左右の支柱４が枢軸手段１７に依り引き抜き位置まで回動されると共に、嵌合位置まで持ち上げられて支柱４の上部が継手３の垂直筒体１１に嵌合された後、固定具１８に依り支柱４と継手３が結合される。
【００２４】
支柱４の下部には、錘体２３が固定具２７に依り取付けられて、図１及び図２の様な直立状態になる。
錘体２３には、図１に示す如く、植物Ａとこれを植栽する土壌Ｂとが収容される。植物Ａが藤やぶどう等の蔓性植物の場合には、蔓が支柱４に絡む様にされたり棚体を為す梁材２や各索条５，６に這う様にされて所謂日除けに供される。錘体２３には、水抜き穴２９と足部３０が設けられているので、灌水しても水捌けが良く、植物Ａの生育に支障を与える事がない。
各支柱４の下部には、接地面に接地されて植物Ａとこれを植栽する為の土壌Ｂとを収容する錘体２３が設けられているので、別途、植木箱等を支柱４の近傍に設置する必要がないと共に、支柱４の移動を防止する錘として利用できる。
【００２５】
折畳み式パーゴラ１は、梁材２、継手３、支柱４、第一索条５、第二索条６、錘体２３等に分解できるので、これらを部品としての運搬や保管も容易である。
【００２６】
尚、梁材２は、先の例では、平面長方形であったが、これに限らず、例えば平面正方形であっても良い。
梁材２の横梁材８は、先の例では、支柱４の略二倍以上の長さを備えていたが、これに限らず、例えばこれより短くても良い。この場合、一方の支柱４は、横梁材８に折重なると共に、他方の支柱４は、一方の支柱４に折重なる様に折畳まれる。
支柱４は、先の例では、縦（前後方向）軸廻りに折畳まれる様にしたが、これに限らず、例えば横（左右方向）軸廻りに折畳まれる様にしても良い。
支柱４の下部には、先の例では、錘体２３を取付けたが、これに限らず、例えば角筒と座板とから成る座体を着脱可能に取付けても良い。
第一索条５及び第二索条６は、先の例では、ワイヤロープ３1，３９を用いたが、これに限らず、例えばチェーン等を用いても良い。
張力調節器３２，４０は、先の例では、第一索条５及び第二索条６の端部に設けたが、これに限らず、例えば第一索条５及び第二索条６の中間部に設けても良い。
【図面の簡単な説明】
【００２７】
【図１】本発明の折畳み式パーゴラを示す斜視図。
【図２】図１の正面図。
【図３】図１の平面図。
【図４】折畳み状態を示す正面図。
【図５】要部を拡大して示す正面図。
【図６】要部を拡大して示す側面図。
【図７】錘体を拡大して示す縦断面図。
【図８】図７の平面図。
【図９】第一索条を拡大して示す縦断面図。
【図１０】第二索条を拡大して示す縦断面図。
【符号の説明】
【００２８】
１…折畳み式パーゴラ、２…梁材、３…継手、４…支柱、５…第一索条、６…第二索条、７…縦梁材、８…横梁材、９…縦筒体、１０…横筒体、１１…垂直筒体、１２水平リブ…、１３…垂直リブ、１４…係止部、１５…穴付ブラケット、１６…固定具、１７…枢軸手段、１８…固定具、１９…長穴、２０…貫孔、２１…枢結具、２２…切欠、２３…錘体、２４…側壁、２５…底壁、２６…角筒、２７…固定具、２８…取っ手、２９…水抜き穴、３０…足部、３１…ワイヤロープ、３２…張力調節器、３３…結束具、３４…環状部、３５…小リング、３６…大リング、３７…ナット部分、３８…アイボルト、３９…ワイヤロープ、４０…張力調節器、４１…螺孔、４２…結束具、４３…環状部、４４…小リング、４５…大リング、４６…ナット部分、Ａ…植物、Ｂ…土壌。
【図１】
2005155276.tif 000003
【図２】
2005155276.tif 000004
【図３】
2005155276.tif 000005
【図４】
2005155276.tif 000006
【図５】
2005155276.tif 000007
【図６】
2005155276.tif 000008
【図７】
2005155276.tif 000009
【図８】
2005155276.tif 000010
【図９】
2005155276.tif 000011
【図１０】
2005155276.tif 000012